(57)【特許請求の範囲】
【請求項１】
インストルメントパネルに設けられた部品取付穴に、部品ガイド部材を組み付け、この部品ガイド部材に部品を取り付け、この部品取付位置の下方にコンソールボックス前端を取付けるようにしたコンソールボックスの取付構造において、上記コンソールボックスをインストルメントパネルに取付ける連結部材を上記部品ガイド部材の位置まで延出して該部品ガイド部材前端に締結したことを特徴とするコンソールボックスの取付構造。
【請求項２】
上部に部品ガイド部材締結部を設け、かつ下部に上記コンソールボックス締結部を設けるとともに、両側部にインストルメントパネルとの締結部を設けて上記連結部材を構成し、この連結部材の下部に設けられた締結部に対してコンソールボックスを車体後方から取り付ける構造にしたことを特徴とする請求項１に記載のコンソールボックスの取付構造。
【請求項３】
上記コンソールボックスの締結部を覆うガーニッシュを設けたことを特徴とする請求項２に記載のコンソールボックスの取付構造。
【発明の詳細な説明】
【０００１】
【発明の属する技術分野】
本発明は、インストルメントパネル下端部に締結するコンソールボックスの取付構造に関する。
【０００２】
【従来の技術】
自動車のフロア中央部に設けられるコンソールボックスをインストルメントパネル下端部に向けて立ち上げて、この立ち上げたコンソールボックス前部を収納スペースとして利用することが行われている。
この収納スペースに、オーデイオ機器等を収納するためには、コンソールボックス前部を強固に支持する必要がある。
【０００３】
図１０は、従来のコンソールボックスの取付構造を示したものである。
コンソールボックスは、フロントコンソールボックス１００と、リヤコンソールボックス１０１で構成され、フロントコンソールボックス１００は、アッパコンソールボックス１０２とシフトコントロールレバーカバー１０３で構成されている。
フロントコンソールボックス１００は、アッパコンソールボックスブラケット１０４を介してインストルメントパネルに組み付けられ、ロアコンソールボックスブラケット１０５を介してアッパコンソールボックス１０２とシフトコントロールレバーカバー１０３が組み付けられている。アッパコンソールボックスブラケット１０４は、ネジ１０６を介してアッパコンソールボックス１０２に組み付けられ、ネジ１０７を介してインストルメントパネルに組み付けられている。ロアコンソールボックスブラケット１０５は、ネジ１０８を介してアッパコンソールボックス１０２に組み付けられ、ネジ１０９を介してアッパコンソールボックス１０２とシフトコントロールレバーカバー１０３が締結されている。
【０００４】
アッパコンソールボックス１０２には、開口部１１０が設けられており、この開口部に、ドア１１１が装着されている。開口部１１０の下部には、ネジ１１２によってカップホルダガイド１１３が装着されており、このカップホルダガイド１１３にカップホルダ１１４が取り付けられている。シフトコントロールレバーカバー１０３は、フロアに固定されたブラケット１１５にネジ１１６を介して両側部が固定されており、ネジ１１７によって、後端部がフロアに固定されている。シフトコントロールレバーカバー１０３の前部に設けられた凹部１１８にはリッド１１９が装着され、中央部に設けられたシフトレバー用開口部１２０には、下部側からシフトレバーブーツ１２１がネジ１２２によって固定されている。シフトコントロールレバーカバー１０３の後面には、リヤーアッシュトレイ１２３が装着されている。リヤコンソールボックス１０１には、サイドブレーキ用開口部１２４が設けられている。サイドブレーキ用開口部１２４には、サイドブレーキ用ブーツ１２５が装着されている。
【０００５】
【発明が解決しようとする課題】
しかしながら、上記従来技術によると、インストルメントパネルに組み付けられているアッパコンソールボックスブラケット１０４に対して、側方からネジ１０６を締め付けてアッパコンソールボックス１０２を固定するため、作業性が悪かった。
【０００６】
本発明は上記課題を解決し、組み付け作業能率の向上を図り、かつ、部品点数の削減を図り得るコンソールボックスの取付構造を提供することを目的とする。
【０００７】
【課題を解決するための手段】
本発明は上記課題を解決するため、インストルメントパネルに設けられた部品取付穴に、部品ガイド部材を組み付け、この部品ガイド部材に部品を取り付け、この部品取付位置の下方にコンソールボックス前端を取付けるようにしたコンソールボックスの取付構造において、上記コンソールボックスをインストルメントパネルに取付ける連結部材を上記部品ガイド部材の位置まで延出して該部品ガイド部材前端に締結したことにある。
【０００８】
本発明は、連結部材をインストルメントパネルに取付け、この連結部材の上端部を部品ガイド部材に締結し、かつ連結部材の下端部にコンソールボックス前端を取付ける。
これによって、部品の支持とコンソールボックスの支持を連結部材によって同時に行うことができる。
【０００９】
【発明の実施の形態】
以下本発明の実施の形態を図面を参照しながら詳細に説明する。
図１は、本発明のコンソールボックスの取付構造の実施の形態を示す概念図、図２は図１のＡ−Ａ線断面図、図３はコンソールボックスを示す分解斜視図、図４は図２の部分拡大断面図である。
【００１０】
図１ないし図４において、インストルメントパネル１には、車幅方向の中央部に、部品として灰皿２の取付穴３が設けられており、この取付穴３の下部側には、コンソールボックス４の前端が組み付けられている。
このコンソールボックス４は、コンソールボックス本体５とガーニッシュ６とで構成されており、コンソールボックス本体５はフロアの車幅方向中心部に、車体の前後方向に沿って配設されている。
【００１１】
コンソールボックス本体５には、収納凹部７と、シフトレバー用開口部８が設けられており、収納凹部７にはボックス９がネジ１０を介して螺着されている。収納凹部７には周縁部に設けられた左右フランジ部１１に取付孔１２を設けており、このフランジ部１１の取付孔１２に装着されたナット１３に上記ネジ１０を螺合するものである。上記ボックス９の側面は、コンソールボックス本体５の側面に設けられた取付孔１４に挿通されるネジ１５が螺合されてコンソールボックス本体５に固定される。コンソールボックス本体５の側面には、取付孔１６が形成されており、この取付孔１６に挿入されるネジ１７を介してコンソールボックス本体５がフロアに固定される。コンソールボックス本体５の収納凹部７の周縁部に設けられた上下フランジ部１１ａには長穴形状のクリップ穴１８が設けられており、このクリップ穴１８にクリップ１９を介してガーニッシュ６が装着されている。ガーニッシュ６の裏面には舌片２０が突設しており、この舌片２０にクリップ１９を装着して、この舌片２０をクリップ１９とともにクリップ穴１８に挿入することでクリップ１９がクリップ穴１８に係合して組み付けられる。
【００１２】
コンソールボックス４は、連結部材としての連結金具２１を介してインストルメントパネル１に組み付けられている。
コンソールボックス４をインストルメントパネル１に組み付ける連結金具２１は、図５および図６（ａ），（ｂ）のように構成されている。
すなわち、連結金具２１は、パネル２２の上下左右に、車体後方に向けて延出するアーム部２２ａ，２２ｂ，２２ｃ，２２ｃを設け、これらアーム部２２ａ，２２ｂ，２２ｃ，２２ｃの先端部を上下左右に折り曲げて、フランジ部２３ａ，２３ｂ，２３ｃ，２３ｃを形成したものである。アーム部２２ｃ，２２ｃには、それぞれ長手方向にリブ２４が設けられて補強されている。また、フランジ部２３ａ，２３ｂ，２３ｃ，２３ｃには、取付用のネジ孔２５が設けられている。
【００１３】
連結金具２１は、左右両側のフランジ部２３ｃ，２３ｃを介して、インストルメントパネル１にネジ止めされており、下端アーム部２２ｂのフランジ部２３ｂを介してコンソールボックス４を固定している。コンソールボックス４はコンソールボックス本体５の収納凹部７の上部側フランジ部１１ａに設けられたネジ孔２６に車体後方側からネジ２７を挿通して連結金具２１のフランジ部２３ｂに螺合している。
【００１４】
連結金具２１の上部側フランジ部２３ａは、灰皿２の灰皿ガイド（部品ガイド部材）２８の前面に螺合している。
この灰皿ガイド２８は、図７ないし図９に示すように、プレート２９の両側下部側に灰皿２を支持するガイドレール部２９ａ，２９ａが設けられており、前端部に下部側に向けて折り曲げられた折り曲げ部２９ｂが設けられている。灰皿ガイド２８はプレート２９の後部側に形成された取付孔３０を介してインストルメントパネル１にネジ３１によりネジ止めされている。この灰皿ガイド２８の折り曲げ部２９ｂには、取付孔３２が形成されており、この取付孔３２にネジ３３を介して連結金具２１のフランジ部２３ａがネジ止めされている。
【００１５】
次に、コンソールボックス４の組み付け手順を説明する。
まず、インストルメントパネル１の灰皿２の取付穴３にネジ３１を介して灰皿ガイド２８を組み付ける。
連結金具２１は左右両側のフランジ部２３ｃ，２３ｃを介して、インストルメントパネル１にネジ止めする。
そして、連結金具２１のフランジ部２３ａを灰皿ガイド２８の折り曲げ部２９ｂにネジ３３を介してネジ止めする。こうして、連結金具２１によって灰皿ガイド２８の前端部を固定する。
【００１６】
次に、連結金具２１のフランジ部２３ｂにコンソールボックス４を固定する。コンソールボックス４はコンソールボックス本体５の収納凹部７の上部側フランジ部１１ａに設けられたネジ孔２６に車体後方側からネジ２７を挿通して連結金具２１のフランジ部２３ｂに螺合する。コンソールボックス４は、フロアにネジ止めされて固定される。
そして、コンソールボックス本体５の上面にクリップ１９を介してガーニッシュ６を組み付ける。こうして、コンソールボックス本体５に取り付けられたネジ２７等が隠される。
【００１７】
上記構成によれば、インストルメントパネル１に固定された連結金具２１に灰皿ガイド２８とコンソールボックス４を固定するので、灰皿ガイド２８とコンソールボックス４を各々別に固定する場合に比べて、強度の向上を図ることができる。また、連結金具２１は灰皿ガイド２８とコンソールボックス４を固定するブラケットを兼ねることができるので、部品点数の削減を図ることができる。
灰皿ガイド２８の固定とコンソールボックス４の固定を車体後方側から行うことができるので、作業能率の向上を図ることができる。コンソールボックス４はガーニッシュ６を組み付けることによってネジ等を隠すことができるとともに、オートマチック車とマニュアル車ではガーニッシュ６を取り替えることで対応できるので、経済的である。
【００１８】
なお、本発明は上記実施の形態のみに限定されるものではなく、例えば、連結金具２１で支持する部品は灰皿ガイド２８に限らず、オーデイオ装置のガイド部材等の固定を行うこともできる。等、その他本発明の要旨を変更しない範囲内で適宜変更して実施し得ることは言うまでもない。
【００１９】
【発明の効果】
以上述べたように、本発明によるコンソールボックスの取付構造によれば次のような効果を奏することができる。
インストルメントパネルに設けられた部品取付穴に、部品ガイド部材を組み付け、この部品ガイド部材に部品を取り付け、この部品取付位置の下方にコンソールボックス前端を取付けるようにしたコンソールボックスの取付構造において、上記コンソールボックスをインストルメントパネルに取付ける連結部材を上記部品ガイド部材の位置まで延出して該部品ガイド部材前端に締結したので、部品ガイド部材とコンソールボックスを各々別に固定する場合に比べて、強度の向上を図ることができる。
上部に部品ガイド部材締結部を設け、かつ下部に上記コンソールボックス締結部を設けるとともに、両側部にインストルメントパネルとの締結部を設けて上記連結部材を構成し、この連結部材の下部に設けられた締結部に対してコンソールボックスを車体後方から取り付ける構造にしたので、部品ガイド部材とコンソールボックスを強固に固定することができる。
コンソールボックスの締結部を覆うガーニッシュを設けたので、ネジ等を隠すことができる。
【図面の簡単な説明】
【図１】本発明によるコンソールボックスの取付構造の実施の形態を示す概念図である。
【図２】図１のＡ−Ａ線断面図である。
【図３】図１のコンソールボックスの取付部を分解して示す斜視図である。
【図４】図２の部分拡大図である。
【図５】図４の連結部材を示す斜視図である。
【図６】図５の連結部材を示し、（ａ）は正面図、（ｂ）は側面図である。
【図７】灰皿ガイドを示し、（ａ）は平面図、（ｂ）は側面図である。
【図８】図７の灰皿ガイドの正面図である。
【図９】図７のＢ−Ｂ線断面図である。
【図１０】従来のコンソールボックスの取付構造を示す分解斜視図である。
【符号の説明】
１  インストルメントパネル
２  灰皿（部品）
３  取付穴
４  コンソールボックス
５  コンソールボックス本体
６  ガーニッシュ
７  収納凹部
８  シフトレバー用開口部
９  ボックス
１０  ネジ
１１  フランジ部
１２  取付孔
１３  ナット
１４  取付孔
１５  ネジ
１６  取付孔
１７  ネジ
１８  クリップ孔
１９  クリップ
２０  舌片
２１  連結金具（連結部材）
２２ａ，２２ｂ，２２ｃ，２２ｃ  アーム部
２３ａ，２３ｂ，２３ｃ，２３ｃ  フランジ部
２５  ネジ孔
２６  ネジ孔
２７  ネジ
２８  灰皿ガイド（部品ガイド部材）
２９  プレート
３０  取付孔
３１  ネジ
３２  取付孔
３３  ネジ
【図１】
0003649372.tif 000002
【図２】
0003649372.tif 000003
【図３】
0003649372.tif 000004
【図４】
0003649372.tif 000005
【図５】
0003649372.tif 000006
【図６】
0003649372.tif 000007
【図７】
0003649372.tif 000008
【図８】
0003649372.tif 000009
【図９】
0003649372.tif 000010
【図１０】
0003649372.tif 000011